(57)【要約】      （修正有）【課題】美しい光を長時間に渡って放つ光源を備えた絵馬を提供する。【解決手段】マグネシウムと水との化学反応でＬＥＤを発光させるライトを水に浸してＬＥＤを点灯させると共に、絵馬本体１のライト収納部２２に収納し、当該ライト収納部２２に対してシールを貼り付け、ライトを当該ライト収納部２２内に収納保持する。この状態で、絵馬１００の表面１ａ及び裏面からＬＥＤが露出し、光を表裏面から見ることができる。この絵馬１００では、マグネシウム電池によりＬＥＤが高輝度で発光していることから、蓄光材料に比べて美しい光を長時間に渡って放つと共に、多数の絵馬１００が絵馬掛に吊るされた場合、絵馬掛全体の見た目が大変綺麗なものとなる。【選択図】図１
0003212558.tif 000002
【実用新案登録請求の範囲】
【請求項１】
板状体からなる絵馬本体に、ＬＥＤその他の光源を有するライトのライト本体を収納する溝状のライト収納部と、前記ライトを前記ライト収納部に収納した状態で前記ライトの光源が露出する光窓と、からなる発光部を備えたことを特徴とする絵馬。
【請求項２】
前記光窓は、前記絵馬本体を貫通して設けられていることを特徴とする請求項１に記載の絵馬。
【請求項３】
更に、前記ライト収納部に覆い被せる形状のシールを備えたことを特徴とする請求項１又は２に記載の絵馬。
【請求項４】
前記ライトは、マグネシウムと水との化学反応により発光させる構造であることを特徴とする請求項１〜３のいずれか一つに記載の絵馬。
【考案の詳細な説明】
【技術分野】
【０００１】
本考案は、ＬＥＤ（Ｌｉｇｈｔ Ｅｍｉｔｔｉｎｇ Ｄｉｏｄｅ）などの光源を内蔵した絵馬に関するものである。
【背景技術】
【０００２】
従来から、特許文献１に開示されているような絵馬が知られている。この絵馬は、基材の表面に微細なガラス玉を混入した蓄光層を形成して、絵馬の基材表面に設けた図柄を光らせる構造のものである。
【先行技術文献】
【特許文献】
【０００３】
【特許文献１】実開平０３−１０９５８５号公報
【考案の概要】
【考案が解決しようとする課題】
【０００４】
しかしながら、上記従来の絵馬では、蓄光材料を用いていることから、高輝度の美しい光を放つことができないという問題点があった。また、光を放出する時間が限られていることから、長時間の使用において美しさが保てないという問題があった。本考案は、係る問題点を解決するためになされたものである。
【課題を解決するための手段】
【０００５】
本考案に係る絵馬は、板状体からなる絵馬本体に、ＬＥＤその他の光源を有するライトのライト本体を収納する溝状のライト収納部と、前記ライトを前記ライト収納部に収納した状態で前記ライトの光源が露出する光窓と、からなる発光部を備えたことを特徴とする。
【０００６】
前記光窓は、前記絵馬本体を貫通して設けられるのが好ましい。更に、前記ライト収納部に覆い被せる形状のシールを備えたものとするのが好ましい。また、前記ライトは、マグネシウムと水との化学反応により発光させる構造とするのが好ましい。
【図面の簡単な説明】
【０００７】
【図１】本考案の実施の形態１に係る絵馬を示す正面（表面）図である。
【図２】図１に示した絵馬を示す背面（裏面）図である。
【図３】図１に示した絵馬を示す右側面図である。
【図４】図１に示した絵馬を示す左側面図である。
【図５】図１に示した絵馬を示す平面図である。
【図６】図１に示した絵馬を示す底面図である。
【図７】図１に示した絵馬の断面図である。
【図８】図１に示した絵馬の使用方法を示す説明図である。
【図９】図１に示した絵馬の使用方法を示す説明図である。
【図１０】絵馬を吊るす絵馬掛の一例を示す説明図である。
【図１１】本考案の実施の形態２に係る絵馬を示す正面（表面）図である。
【図１２】図１１に示した絵馬を示す背面（裏面）図である。
【図１３】図１１に示した絵馬を示す右側面図である。
【図１４】図１１に示した絵馬を示す左側面図である。
【図１５】図１１に示した絵馬を示す平面図である。
【図１６】図１１に示した絵馬を示す底面図である。
【図１７】図１１に示した絵馬の断面図である。
【考案を実施するための形態】
【０００８】
（実施の形態１）
図１〜図６に、この考案の実施の形態１に係る絵馬を示す。この絵馬１００は、木製、樹脂製又は紙製の板状体であり且つ平面視でその上部が三角屋根形状をした全体が略矩形の絵馬本体１と、この絵馬本体１に設けた発光部２とから構成される。絵馬本体１は、所定の厚さを備えたものである。絵馬本体１の上部中央には、吊り下げ用の穴３が設けられる。絵馬本体１の表面１ａには、所定の絵図や文字が描かれる。絵図、文字は絵馬１００に適したものであれば、どのようなものでも良い。
【０００９】
前記発光部２は、絵馬本体１の左上の位置に貫通状態で設けられた円形の光窓２１と、光窓２１の下方に連続して設けられ且つ溝状に形成された全体が短冊形状のライト収納部２２と、マグネシウムと水との化学反応により電力を生じさせて光源であるＬＥＤ２４を発光させるライト２３と、から構成される。なお、ライト２３は、マグネシウムと水との化学反応により発光させるライト２３を用いるのが好ましいが、これに限定されるものではない。通常の電池を電源としてＬＥＤや豆電球を発光させる構成のライトを用いても良い。
【００１０】
なお、光窓２１は、円形に限定されず、矩形、星形等のデザイン形状であっても良い（図示省略）。また、前記ライト収納部２２は、ライト２３の形状に合わせた形状とする。本実施の形態の場合では、ライト２３がガム形状ないし直方体形状であるため、図７の断面図に示すように、上記短冊形状の溝形となる。また、ライト収納部２２は裏面１ｂに形成される。ライト収納部２２は有底であることから表面１ａには現れず、当該表面１ａには前記光窓２１のみが現れる。また、この絵馬１００では、ライト収納部２２にライト２３を収納した場合において当該ライト２３をライト収納部２２に保持するため、このライト収納部２２に覆い被せるシール２５を有する。このシール２５は、祈願ステッカーとして表面に「祈願」と印刷したものである。シール２５により簡単にライト２３を収納保持できる。
【００１１】
前記ライト２３は、ライト本体２３ａの内部にマグネシウム電極と炭素電極とが配置され、この間に水を導入することで発電を行う。この電極には、ＬＥＤ２４が接続されている。ライト本体２３ａは、下部に水の導入口を有する。このため、ライト本体２３ａの下部を水につけることでＬＥＤ２４が発光する。水は、例えば神社の境内にある手水舎の水を用いて発電させる。これにより、清められた光を発生させるという心情的効果が得られる。マグネシウムを用いたライト２３の場合、このライト２３はアルミパックの袋に封入されて、外気の湿度の影響により自然発光しないようにするものとする。
【００１２】
また、図示しないが、通常電池によるライトの場合、上記同様の形状をしたライト本体２３ａの内部に一次電池を収納すると共に当該一次電池にＬＥＤを接続した構成となる。この場合は、別に設けたスイッチをオンすること又は一次電池との接点の間に介在させた絶縁紙を抜くことで、一次電池とＬＥＤとを電気的に接続させて発光させる。
【００１３】
また、上記いずれのライト２３においても、ＬＥＤ２４の色が異なるライト２３を複数用意して、ユーザの好みに応じて適宜選択した上で使用するようにしても良い。
【００１４】
図８は、本考案の使用方法を示す説明図である。まず、ライト２３をアルミパックから取り出し、ライト本体２３ａの下部を水に浸す。例えば手水舎でひしゃくに水を汲み、その中に入れる。これによりライト２３のＬＥＤ２４が点灯する。この状態で、当該ライト２３を前記ライト収納部２２に収納する。この収納状態で、ライト２３のＬＥＤ２４が光窓２１に出る。そして、ライト収納部２２に対してシール２５を貼り付け、ライト２３を当該ライト収納部２２内に保持する。
【００１５】
図９にライト収納部２２にライト２３を収納した状態を示す。絵馬本体１の裏面１ｂでは、図９（ａ）に示すように、ライト収納部２２にライト２３が収納保持される。シール２５に印刷された「祈願」の文字が光窓２１の下に位置する。絵馬本体１の表面１ａは、図９（ｂ）に示すように、光窓２１からライト２３のＬＥＤ２４が露出した状態となる。光窓２１は絵馬本体１を貫通していることから、絵馬１００の表面１ａ及び裏面１ｂからＬＥＤ２４が露出することになる。ＬＥＤ２４はこの状態で既に発光しており、絵馬１００を絵馬掛５０に吊るす。この絵馬１００は、ＬＥＤ２４が高輝度（蓄光に比較して）で発光しているので、絵馬１００の表裏両側から光を見ることができ、多数の絵馬１００が絵馬掛５０に吊るされた場合、絵馬掛５０全体の見た目が大変綺麗なものとなる。
【００１６】
また、デザインされた絵馬掛５０を準備して当該絵馬掛５０に本考案に係る絵馬１００を吊るすことで、綺麗に光を演出できる。図１０は、デザインされた絵馬掛の例を示す説明図である。この絵馬掛５０は、樹木のデザインであり、板材を当該樹木の形状にレーザ加工により切り出してこれを自立可能にしたものである。絵馬掛５０を切り出す板材の厚さは、１２ｍｍ程度のものを用いるのが好ましい。樹木の枝には、絵馬１００を吊るしやすくするために、フックを形成しても良い。
【００１７】
本考案に係る絵馬１００によれば、ＬＥＤ２４により美しい光を放ち、絵馬１００の祈願内容を引き立てると共に、多数吊るした際に光の演出効果が高いものとなる。また、マグネシウムを用いたライト２３を使用する場合は、境内の清められた水により発光することがユーザへの心地よさを与えるものとなる。更に、マグネシウムを用いたライト２３によれば、発光時間が長時間確保されることから、絵馬１００による光を長時間にわたり演出できる。
【００１８】
（実施の形態２）
図１１〜図１６は、本考案の実施の形態２に係る絵馬を示す説明図である。この絵馬２００は、ライト収納部２２２が絵馬本体１の表面１ａから裏面１ｂに貫通しており、表面１ａ及び裏面１ｂにおいてシール２５、２２５をもってライト２３を保持する構成にした点に特徴がある。その他の構成は実施の形態１と同様であることからその説明を省略し、同一構成要素には同一符号を付するものとする。
【００１９】
この絵馬２００では、図１７の断面図に示すように、ライト収納部２２２を貫通溝形状とすることでレーザ加工や糸のこ盤により加工しやすいものとなる。絵馬本体１の表面のライト収納部２２２の周囲は、予めシール２２５を張り付けて閉じた状態となる。また、この状態で上記ライト２３を当該ライト収納部２２に収納し、裏面から「祈願」の文字を印刷したシール２５を張り付けて当該ライト２３をライト収納部２２に収納保持する。
【００２０】
係る構成によれば、実施の形態１に係る絵馬と同じ作用効果を奏する他、絵馬２００の板厚が薄い場合でも前記ライト収納部２２の奥行（厚さ方向の長さ）が大きく取れるため、ライト２３を収納しやすくなる。
【符号の説明】
【００２１】
１００  絵馬
１  絵馬本体
２  発光部
２１  光窓
２２  ライト収納部
２３  ライト
２４  ＬＥＤ
２５  シール
【図１】
0003212558.tif 000003
【図２】
0003212558.tif 000004
【図３】
0003212558.tif 000005
【図４】
0003212558.tif 000006
【図５】
0003212558.tif 000007
【図６】
0003212558.tif 000008
【図７】
0003212558.tif 000009
【図８】
0003212558.tif 000010
【図９】
0003212558.tif 000011
【図１０】
0003212558.tif 000012
【図１１】
0003212558.tif 000013
【図１２】
0003212558.tif 000014
【図１３】
0003212558.tif 000015
【図１４】
0003212558.tif 000016
【図１５】
0003212558.tif 000017
【図１６】
0003212558.tif 000018
【図１７】
0003212558.tif 000019